(57)【要約】【課題】  高精度に、かつ安価に製作し易く、ＡＤＳＳケーブルを円滑に巻回保持し得るリング状ＡＤＳＳケーブル保持具を提供する。【解決手段】  ＡＤＳＳケーブル５を巻回保持するリング状ＡＤＳＳケーブル保持具１００は円周溝３を有し、その半径ＲがＡＤＳＳケーブル５の外径ｄに対して約１０倍以上のリング状部材１とその直径方向に沿って架設固定されるクロス部材２からなり、リング状部材１の円周溝３にＡＤＳＳケーブル５は緩嵌状態で保持される。リング状部材１が円形のため高精度で安価に製作することができる。【選択図】  図１
0003137529.tif 000002
【実用新案登録請求の範囲】
【請求項１】
光ファイバを内蔵するＡＤＳＳケーブルを電柱に無張力状態で保持して貯蔵するケーブル保持貯蔵装置の両端に配置され前記ＡＤＳＳケーブルを巻回保持するリング状ケーブル保持具であって、該保持具は、横断面コ字形状の円周溝を形成するリング状部材と、該リング状部材の直径方向に沿って架設されるクロス部材とからなり、前記リング状ケーブル保持具は前記クロス部材を介して水平状態に垂下支持され、前記リング状部材の円周溝に前記ＡＤＳＳケーブルを巻回保持することを特徴とするリング状ＡＤＳＳケーブル保持具。
【請求項２】
前記リング状部材は、その半径ＲがＡＤＳＳケーブルの外径ｄに対して少なくとも１０倍以上の寸法からなり、前記円周溝の高さが前記ＡＤＳＳケーブルが緩嵌する寸法からなることを特徴とする請求項１に記載のリング状ＡＤＳＳケーブル保持具。
【考案の詳細な説明】
【技術分野】
【０００１】
本考案は、光ケーブルを内蔵するＡＤＳＳケーブルを電柱に一時的に貯蔵保持するためのケーブル保持貯蔵装置に使用され前記ＡＤＳＳケーブルを巻回保持するリング状ＡＤＳＳケーブル保持具に関する。
【背景技術】
【０００２】
ＡＤＳＳケーブルはその全長をすべて使用する場合は少なく、予備用としてその一部を貯蔵保持することが一般に行われている。その手段としては各種形式のものが存在するが「特許文献１」によるものが広く使用されている。
【特許文献１】Ｕ．Ｓ．Ｐａｔｅｎｔ  ５，８６７，６２４（ＦＩＧ．１０）
【０００３】
Ｕ．Ｓ．Ｐａｔｅｎｔ  ５，８６７，６２４号の「ＭＥＴＨＯＤ  ＡＮＤ  ＡＰＰＡＲＡＴＵＳ  ＦＯＲ  ＳＴＯＲＩＮＧ  ＳＵＲＰＬＵＳ  ＡＤＳＳ  ＣＡＢＬＥ」は図６に示す構造のものからなる。
ＡＤＳＳケーブル５は図示のように無張力の状態で電柱８に水平状に保持され、その両端にはベンド半径プロテクタ１Ａが配置されてＡＤＳＳケーブル５を巻回保持している。このベンド半径プロテクタ１Ａは、図７のような「涙しづく」状の形状のものからなり、そのクロス部材２Ａ，２Ａ及び吊り具７Ａを介してケーブル保護スリーブ６に垂下支持されている。なお、ケーブル保護スリーブ６には貯蔵されていない使用側のＡＤＳＳケーブル５が挿通されている。
【考案の開示】
【考案が解決しようとする課題】
【０００４】
以上の構造のＡＤＳＳケーブル保持貯蔵装置においては前記のように「涙しづく」状のベンド半径プロテクタ１Ａが使用されている。このベンド半径プロテクタ１ＡはＡＤＳＳケーブル５を巻回保持することが目的機能であり、この発明では「涙しづく」状の複雑な形状のものからなる。一般にプロテクタとしてこのような「涙しづく」状のものを高精度に製作することは難しく、ＡＤＳＳケーブル５を案内する凹溝を高精度に形成することは難しい。ＡＤＳＳケーブル５は極力無抵抗状態でプロテクタ側に保持されることが必要であるが、前記のベンド半径プロテクタ１Ａを高精度に、かつ安価に形成することは一般に難しい。なお、ＡＤＳＳケーブル５はプロテクタによって円滑に巻回保持されればよく、必ずしもこの発明のように「涙しづく」状に形成される必要がないと思料される。
【０００５】
本考案は、以上の事情に鑑みて考案されたものであり、ＡＤＳＳケーブルを円滑に巻回保持すると共に、製作し易く、比較的安価に実施できるリング状ＡＤＳＳケーブル保持具を提供することを目的とする。
【課題を解決するための手段】
【０００６】
本考案は、以上の目的を達成するために、請求項１の考案は、光ファイバを内蔵するＡＤＳＳケーブルを電柱に無張力状態で保持して貯蔵するケーブル保持貯蔵装置の両端に配置され前記ＡＤＳＳケーブルを巻回保持するリング状ケーブル保持具であって、該保持具は、横断面コ字形状の円周溝を形成するリング状部材と、該リング状部材の直径方向に沿って架設されるクロス部材とからなり、前記リング状ケーブル保持具は前記クロス部材を介して水平状態に垂下支持され、前記リング状部材の円周溝に前記ＡＤＳＳケーブルを巻回保持することを特徴とする。
【０００７】
また、請求項２の考案は、前記リング状部材は、その半径ＲがＡＤＳＳケーブルの外径ｄに対して少なくとも１０倍以上の寸法からなり、前記円周溝の高さが前記ＡＤＳＳケーブルが緩嵌する寸法からなることを特徴とする。
【考案の効果】
【０００８】
本考案の請求項１のリング状ＡＤＳＳケーブル保持具によれば、ＡＤＳＳケーブルを巻回保持するリング状ケーブル保持具が円周溝を有するリング状部材からなるため、ＡＤＳＳケーブルは前記円周溝により円滑に保持されると共にリング状部材が製作し易く高精度に、かつ安価に製作することができる。また、リング状ケーブル保持具はクロス部材を介して安価に垂下保持される。
【０００９】
また、本考案の請求項２のリング状ＡＤＳＳケーブル保持具によれば、リング状部材の半径ＲがＡＤＳＳケーブルの直径の１０倍以上のものからなるため、ＡＤＳＳケーブルは無理なく、円滑に巻回保持され、かつ円周溝の高さがＡＤＳＳケーブルの外径が緩嵌される寸法からなり、ＡＤＳＳケーブルをほぼ無抵抗の状態で保持することができる。
【考案を実施するための最良の形態】
【００１０】
以下、本考案のリング状ＡＤＳＳケーブル保持具の実施の形態を図面を参照して詳述する。図１及び図２は本考案のリング状ＡＤＳＳケーブル保持具１００の全体構造を示す図である。
【００１１】
図１及び図２に示すように、リング状ＡＤＳＳケーブル保持具１００はリング状部材１とクロス部材２とからなる。
リング状部材１は円型のリングからなり、その全円周には円周溝３が形成される。この円周溝３は、その横断面形状がコ字形状のものからなり、ＡＤＳＳケーブル５を保持し得る形状のものからなる。より詳しくには図２に示すように円周溝３の高さＷは後に説明するＡＤＳＳケーブル５の外径ｄ（図３）からやや大きくＡＤＳＳケーブル５が緩嵌し得る寸法のものからなる。
一方、リング状部材１は前記のように円型のリングからなるが、図１に示すように、その半径ＲはＡＤＳＳケーブル５の外径の１０倍以上のものからなる。これはＡＤＳＳケーブル５を円滑に巻回保持するためである。
また、クロス部材２は平板状のものからなり、リング状部材１の上面にその直径方向に沿って架設されて固着され、取り付け孔４，４を形成するものからなる。
【００１２】
図３はＡＤＳＳケーブル５の詳細構造を示すための横断面図である。
ＡＤＳＳケーブルは複数（図示では６個）の光ファイバ５ａを内蔵するものからなる。光ファイバ５ａはルーズチューブ５ｂ内に収納され、各ルーズチューブ５ｂは中心に配置される中心テンションメンバ５ｃの外周と当接して等分に配置される。ルーズチューブ５ｂは内被覆材５ｄにより保持され、この内被覆材５ｄはアラミドヤーン５ｅを介して外被覆材５ｆにより保持される。以上の構造により光ケーブル５ａは張力を分担されて保持される。また、以上の構成要素はすべて金属材料以下の導電性物質からなる。なお、外被覆材５ｆの外径が前記のｄ寸法となる。
【００１３】
図４は（ａ），（ｂ）は以上の構造のリング状ＡＤＳＳケーブル保持具１００によるＡＤＳＳケーブル５の保持状態とその水平垂下保持構造を示すものである。
図６，図７により説明したように、リング状ＡＤＳＳケーブル保持具１００はケーブル保護スリーブ６により垂下支持される。そのために、ケーブル保護ケーブル６とリング状ＡＤＳＳケーブル保持具１００との間には吊り具７が架設される。この吊り具７は上端をケーブル保護ケーブル６に係着連結されると共に下端を取り付け孔４を介してクロス部材２に連結固着される。以上によりリング状ＡＤＳＳケーブル保持具１００は水平状態に保持される。
また、図４及び図５に示すようにＡＤＳＳケーブル５はリング状ケーブル保持具１の円周溝３に巻回保持される。
図５に示すように、円周溝４の高さＷがＡＤＳＳケーブル５の外径ｄよりやや大きいためＡＤＳＳケーブル５は円周溝３に緩嵌され、ほぼ無抵抗状態で保持される。
【００１４】
以上のように、リング状ＡＤＳＳケーブル保持具１００は円型のリング状のリング状ケーブル保持具１を主構成部材としているため、全体として製作し易く、かつ安価に実施される。また、ＡＤＳＳケーブル５も円滑に、かつほぼ無抵抗な状態で保持されることになる。
【００１５】
本考案のリング状ＡＤＳＳケーブル保持具１００は、以上に説明した構造のものからなるが、勿論、以上の内容に限定するものではなく、同一技術的範疇のものが適用されることは勿論である。
【産業上の利用可能性】
【００１６】
本考案のリング状ＡＤＳＳケーブル保持具はＡＤＳＳケーブルの保持具に適用されるものであるが、そのサイズは各部の形状はすべての形態がＡＤＳＳケーブルに対応し得るものであり、その利用範囲は広い。
【図面の簡単な説明】
【００１７】
【図１】本考案のリング状ＡＤＳＳケーブル保持具の全体構造を示す平面図。
【図２】図１のＡ−Ａ断面図。
【図３】ＡＤＳＳケーブルの詳細構造を示す横断面図。
【図４】本考案のリング状ＡＤＳＳケーブル保持具の取り付け状態とＡＤＳＳケーブルの保持状態を示す平面図（ａ）とＢ−Ｂ断面図（ｂ）。
【図５】リング状部材の円周溝とＡＤＳＳケーブルとの寸法関係を示す部分拡大断面図。
【図６】従来のＡＤＳＳケーブルの保持状態を示す斜視図。
【図７】図６におけるベンド半径プロテクタ（本考案のリング状ＡＤＳＳケーブル保持具に対応するもの）の詳細構造とその保持構造を示す斜視図。
【符号の説明】
【００１８】
１      リング状部材
２      クロス部材
３      円周溝
４      取り付け孔
５      ＡＤＳＳケーブル
５ａ    光ケーブル
５ｂ    ルーズチューブ
５ｃ    中心テンションメンバ
５ｄ    内被覆材
５ｅ    アラミドヤーン
５ｆ    外被覆材
６      ケーブル保護ケーブル
７      吊り具
８      電柱
１００  リング状ＡＤＳＳケーブル保持具
【図１】
0003137529.tif 000003
【図２】
0003137529.tif 000004
【図３】
0003137529.tif 000005
【図４】
0003137529.tif 000006
【図５】
0003137529.tif 000007
【図６】
0003137529.tif 000008
【図７】
0003137529.tif 000009